Podtech/llm-jp-corpus-v4-ja_patent huggingface dataset:
(57)【要約】【課題】本考案はラックに取付くものであり、搭載機器等よりモジュラージャックまでの距離を一定にできるようにしたパッチパネルを提供するものである。【解決手段】情報機器等を収納するラックにおいてラックマウントの１ユニット毎に複数個のモジュラージャックが対応するように縦方向に配列したパッチパネルである。【選択図】図４
0003112269.tif 000002
【実用新案登録請求の範囲】
【請求項１】
情報機器等を収納するラックにおいてラックマウントの１ユニット毎に、複数個のモジュラージャックが対応するように縦方向に配列するようにした事を特徴としたパッチパネル。
【考案の詳細な説明】
【技術分野】
【０００１】本考案は情報機器等を収納する為のラックにおいて、特に薄型サーバー等の配線性に優れたパッチパネルに関する。
【背景技術】
【０００２】情報化社会の進展につれ、薄型サーバー等の搭載が増大し配線の量も増大している。【０００３】従来のパッチパネルはラックマウントに設置できるように水平方向にモジュラージャックを並べてあり、機器毎に異なる長さの配線を用意しなければならず、配線も長くなり、配線に対する考慮が欠けていた。
【考案の開示】
【考案が解決しようとする課題】
【０００４】本考案の縦型配線パッチパネルはラックに縦方向に取付くものであり、搭載機器等よりモジュラージャックまでの距離を一定にでき、さらに短くできるようにしたパッチパネルを提供するものである。
【課題を解決する為の手段】
【０００５】情報機器等を収納するラックにおいてラックマウントの１ユニット毎に、複数個のモジュラージャックが対応するように縦方向に配列するようにした縦型配線パッチパネル。
【考案の効果】
【０００６】本考案は搭載機器等よりモジュラージャックまでの配線の長さを一定にでき、さらに短くできる為配線作業が大変やりやすく、効率の良い配線ができる。
【０００７】本考案の縦型配線パッチパネルは、ラックマウントのユニットスペースを使用しないので、ラックのユニットスペースを効率よく使用できる。
【考案を実施する為の最良の形態】
【０００８】本考案の実施形態を、情報機器等を収納するラックにおける配線方法を例に説明する。
【０００９】従来は、情報機器等収納ラック１のマウントアングル２に搭載機器等３を取付け、従来型パッチパネル４も同様に取付けをしていた。
【００１０】そのためラックマウントのユニットスペースを使用していた。
【００１１】そして従来型パッチパネル４は、水平方向にモジュラージャック８が並べてあり、搭載機器等３毎に異なる距離になり従来型の配線５のように異なる長さを用意しなければならなかった。
【実施例１】
【００１２】本考案は、情報機器等収納ラック１のマウントアングル２に搭載機器等３を取付け、本考案の縦型配線パッチパネル６を情報機器等収納ラック１の内側側面に縦方向に取付ける。【００１３】本考案の縦型配線パッチパネル６のモジュラージャック８は、搭載機器３と平行に並ぶ事となり搭載機器等３毎に複数個のモジュラージャック８が対応するようになっているので、搭載機器等３毎に一定の距離にでき本考案の縦型配線パッチパネルの配線７にて同じ長さの配線を準備できるので、作業が大変やりやすく効率の良い配線ができる。
【実施例２】
【００１４】情報機器収納ラック１のマウントアングル２を、本考案の縦型配線パッチパネルの機能を有する形状とし、搭載機器等３を取付ける。【００１５】本考案の縦型配線パッチパネルと同じ機能を有するマウントアングル２のモジュラージャック８は、搭載機器等３と平行に並ぶ事となり搭載機器等３毎に複数個のモジュラージャック８が対応するようになっているので、搭載機器等３毎に一定の距離にできる為、本考案の縦型配線パッチパネルの配線７にて同じ長さの配線を準備できるので、作業が大変やりやすく効率の良い配線ができる。
【実施例３】
【００１６】情報機器収納ラック１を、本考案の縦型配線パッチパネルの機能を有する形状とし、マウントアングル２に搭載機器等３を取付ける。【００１７】本考案の縦型配線パッチパネルと同じ機能を有する本体フレーム１のモジュラージャック８は、マウントアングル２と平行になり搭載機器等３毎に複数個のモジュラージャック８が対応するようになっているので、搭載機器等３毎に一定の距離にできる為、本考案の縦型配線パッチパネルの配線７にて同じ長さの配線を準備できるので、作業が大変やりやすく効率の良い配線ができる。
【図面の簡単な説明】
【００１８】
【図１】従来型パッチパネルと搭載機器等を情報機器等収納ラックに取付けた図である。
【図２】従来型パッチパネルと搭載機器等を配線した図である。
【図３】本考案の縦型配線パッチパネルと搭載機器等を情報機器等収納ラックに取付けた図である。
【図４】本考案の縦型配線パッチパネルと搭載機器等を配線した図である。
【図５】情報機器等収納ラックのマウントアングルを本考案の縦型配線パッチパネル機能を有する形状とし、搭載機器を取付けた図である。
【図６】本考案の縦型配線パッチパネルと同じ機能を有するマウントアングルと搭載機器等を配線した図である。
【図７】情報機器等収納ラックに本考案の縦型配線パッチパネルの機能を有する本体フレーム形状とし、搭載機器等をマウントアングルに取付けた図である。
【図８】本考案の縦型配線パッチパネルと同じ機能を有する情報機器等収納ラックの本体フレームと搭載機器等を配線した図である。
【符号の説明】
【００１９】  １  情報機器等収納ラック
２  マウントアングル
３  搭載機器等
４  従来型パッチパネル
５  従来型パッチパネルの配線
６  本考案の縦型配線パッチパネル
７  本考案の縦型配線パッチパネルの配線
８  モジュラージャック
９  本考案の縦型配線パッチパネルの機能を有するマウントアングル
１０  本考案の縦型配線パッチパネルの機能を有する本体フレーム
【図１】
0003112269.tif 000003
【図２】
0003112269.tif 000004
【図３】
0003112269.tif 000005
【図４】
0003112269.tif 000006
【図５】
0003112269.tif 000007
【図６】
0003112269.tif 000008
【図７】
0003112269.tif 000009
【図８】
0003112269.tif 000010
(57)【要約】【課題】  変形し難しく、且つ軽量化、低コスト化を図ることができるリアプロジェクションテレビ用パネルを提供する。【解決手段】  ガラス基板１１を有し、該ガラス基板１１の一側に粘着膜１２が設けられると共に、該粘着膜１２の一側に拡散膜１３が設けられることを特徴とする。【選択図】  図１
0003112245.tif 000002
【実用新案登録請求の範囲】
【請求項１】
ガラス基板を有し、該ガラス基板の一側に粘着膜が設けられると共に、該粘着膜の一側に拡散膜が設けられることを特徴とするリアプロジェクションテレビ用パネル。
【請求項２】
前記粘着膜は、エチレン酢ビコポリマー（ＥＶＡ）からなり、前記拡散膜は、ポリエチレンテレフタレート（ＰＥＴ又はＰＥＴＰ）からなることを特徴とする請求項１に記載のリアプロジェクションテレビ用パネル。
【請求項３】
前記ガラス基板の代わりにＡＲガラス（抗反射ガラス）を用い、又はガラス基板にＡＲ膜（抗反射膜）が設けられることを特徴とする請求項１又は２に記載のリアプロジェクションテレビ用パネル。
【請求項４】
前記ガラス基板の代わりにＡＧガラス（抗乱射ガラス）を用い、又はガラス基板にＡＧ膜（抗乱射膜）が設けられることを特徴とする請求項１又は２に記載のリアプロジェクションテレビ用パネル。
【考案の詳細な説明】
【技術分野】
【０００１】
本考案は、特に変形し難く、且つ軽量化、低コスト化を図ることができるリアプロジェクションテレビ用パネルに関するものである。
【背景技術】
【０００２】
従来のリアプロジェクションテレビ用パネル又は内投射テレビ用パネルは、アクリル樹脂からなる平板状のアクリライトであり、光線を集中するため、その表面に複数の菱状構造が形成され、更に該菱状構造の外側に拡散プレートが設けられる。
【考案の開示】
【考案が解決しようとする課題】
【０００３】
しかしながら、アクリル樹脂からなる平板状のアクリライトは、重量が重く、大型のパネルの製造が難しく、熱により変形しやすく、製造コストが高いという問題を有し、更に、高級感を追求するため、従来のパネルの外側にガラス板が設けられることにより、コストが増加してしまう。
【０００４】
そこで、案出されたのが本考案であって、変形し難く、且つ軽量化、低コスト化を図ることができるリアプロジェクションテレビ用パネルを提供することを目的としている。
【課題を解決するための手段】
【０００５】
本願の請求項１の考案は、ガラス基板を有し、該ガラス基板の一側に粘着膜が設けられると共に、該粘着膜の一側に拡散膜が設けられることを特徴とするリアプロジェクションテレビ用パネル、を提供する。
【０００６】
本願の請求項２の考案は、前記粘着膜は、エチレン酢ビコポリマー（ＥＶＡ）からなり、前記拡散膜は、ポリエチレンテレフタレート（ＰＥＴ又はＰＥＴＰ）からなることを特徴とする請求項１に記載のリアプロジェクションテレビ用パネル、を提供する。
【０００７】
本願の請求項３の考案は、前記ガラス基板の代わりにＡＲガラス（抗反射ガラス）を用い、又はガラス基板にＡＲ膜（抗反射膜）が設けられることを特徴とする請求項１又は２に記載のリアプロジェクションテレビ用パネル、を提供する。
【０００８】
本願の請求項４の考案は、前記ガラス基板の代わりにＡＧガラス（抗乱射ガラス）を用い、又はガラス基板にＡＧ膜（抗乱射膜）が設けられることを特徴とする請求項１又は２に記載のリアプロジェクションテレビ用パネル、を提供する。
【考案の効果】
【０００９】
本考案は上記の課題を解決するものであり、ガラス基板を有し、該ガラス基板の一側に粘着膜が設けられると共に、該粘着膜の一側に拡散膜が設けられることにより、変形し難く、且つ軽量化、低コスト化を図ることができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るリアプロジェクションテレビ用パネルの断面図であり、図２は本考案に係るリアプロジェクションテレビ用パネルの使用状態を示す概要図である。
【００１２】
図１に示すように、本考案に係るリアプロジェクションテレビ用パネル（１０）は、ガラス基板（１１）を有し、該ガラス基板（１１）の一側に粘着膜（１２）が設けられると共に、該粘着膜（１２）の一側に拡散膜（１３）が設けられる。
【００１３】
前記粘着膜（１２）は、エチレン酢ビコポリマー（ＥＶＡ）からなり、前記拡散膜（１３）は、ポリエチレンテレフタレート（ＰＥＴ又はＰＲＴＰ）からなり、又、必要に応じてガラス基板（１１）の代わりにＡＲガラス（抗反射ガラス）を用い、又はガラス基板（１１）にＡＲ膜（抗反射膜）が設けられることができる。尚、前記ガラス基板（１１）の代わりにＡＧガラス（抗乱射ガラス）を用い、又はガラス基板（１１）にＡＧ膜（抗乱射膜）が設けられてもよい。
【００１４】
本考案に係るリアプロジェクションテレビ用パネル（１０）の製造は、先ずガラス基板（１１）の一側に粘着膜（１２）が塗布され、該粘着膜（１２）の一側に拡散膜（１３）が均一に塗布されることにより、複合パネルを形成し、該複合パネルを１３０℃のオーブンに約３０分で加熱することにより、該複合パネル（ガラス基板（１１）、粘着膜（１２）及び拡散膜（１３））を一体とする。
【００１５】
又、図２に示すように、本考案に係るリアプロジェクションテレビ用パネル（１０）を内投射テレビに用いてもよい。本考案に係るリアプロジェクションテレビ用パネル（１０）を内投射テレビに使用する場合、該パネル（１０）をテレビケース（２０）のパネル設置箇所に設けられ、テレビケース（２０）の内部における投射装置（２１）から投射した映像を反射鏡（２２）の２回反射により、使用者はパネル（１０）の外側から拡大した映像を観賞することができる。
【産業上の利用可能性】
【００１６】
本考案は上記の構成を有するので、ガラス基板を有し、該ガラス基板の一側に粘着膜が設けられると共に、該粘着膜の一側に拡散膜が設けられることにより、変形し難く、且つ軽量化、低コスト化を図ることができる。
【図面の簡単な説明】
【００１７】
【図１】本考案に係るリアプロジェクションテレビ用パネルの断面図である。
【図２】本考案に係るリアプロジェクションテレビ用パネルの使用状態を示す概要図である。
【符号の説明】
【００１８】
１０        パネル
１１        ガラス基板
１２        粘着膜
１３        拡散膜
２０        テレビケース
２１        投射装置
２２        反射鏡
【図１】
0003112245.tif 000003
【図２】
0003112245.tif 000004
(57)【要約】      （修正有）【課題】１０枚に満たない端数の硬貨の勘定を行えるようにするものである。【解決手段】長短２辺１，２の間に箱形の計測用標識物を結合させ、計測用標識物を横に１０区分する欄を作り、その欄を黒ライン白ラインと交互に色分けし模様とするが、計測用標識物の中央は、変化のある別模様とする。【選択図】図２
0003112285.tif 000002
【実用新案登録請求の範囲】
【請求項１】
コの字形の如く、あるいはニの字形の如く、あるいはそれらの類似形の如く、相対する２辺の硬貨を挟持する部分で、２辺のうち１辺が他の１辺より短く、２辺あるいは短辺の先端をとがらせてある硬貨勘定器において、標識として模様あるいは絵あるいは文字あるいは記号あるいは目盛またはそれらの組み合せで描いた標識物を前記の硬貨勘定器に設け、端数の硬貨でも、２辺できちんと挟持した硬貨でも勘定できることを特徴とする硬貨勘定器。
【請求項２】
請求項１の、硬貨勘定器の標識を、使用する人の好みで任意の標識を描くことができるよう無記入としたことを特徴とする硬貨勘定器。
【考案の詳細な説明】
【考案の詳細な説明】
【技術分野】
【０００１】  本考案は、一定数単位でも硬貨を勘定するが、一定数に満たない硬貨も勘定できる硬貨勘定器に関するものである。
【背景技術】
【０００２】  道具も機械も使用せず、原始的に手指で、手のひらに並べた硬貨を勘定する方法は、目への負担が大きく、数量が多いと疲れるうえ、倦怠感が増す。
電動式の機械の硬貨勘定機は、高価であり、大形で重く、移動もしにくい。従って、狭い事務所や一般家庭では使用しづらい。
実用新案登録第２１３５５１０号の硬貨勘定器は、硬貨を１０枚単位で勘定するのに迅速だが、１０枚に満たない端数の場合、この器具にたよることはできず、手指で勘定する不便がある。
【考案の開示】
【考案が解決しようとする課題】
【０００３】  本考案は、実用新案登録第２１３５５１０号の硬貨勘定器の欠点である１０枚に満たない端数の硬貨の勘定を行えるようにするものである。
多量の硬貨を勘定してきて、最後の端数は、手指で勘定するという中途半端な使い方が解消される。
【課題を解決するための手段】
【０００４】  本考案は、コの字形の如く、あるいはニの字形の如く、あるいはそれらの類似形の如く、例えばユの字形、Ｈ字形、Ｍ字形、太文字のＣ字形の如く、相対する２辺を有し、硬貨を挟む部分のところで、２辺あるいは短辺の先端をとがらせてある硬貨勘定器において、何枚の硬貨が挟っているか、計測ができるよう標識類を施した計測用標識物を２辺に隣接あるいは近接しつくる。または２辺と一体成型しつくる。
標識を見ることにより硬貨の枚数を確認することができ、その結果１０枚ずつ硬貨を勘定することもできるし、１０枚に満たない端数の硬貨も勘定でき、上記課題を解消できる。
【考案の効果】
【０００５】  ２辺に計測用標識物を設けることにより、従来の実用新案登録第２１３５５１０号に比べ、硬貨勘定器が長くなり、手のひらで握るように保持でき操作に安定性が増す。
計測用標識物には、模様や目盛り等を表示するので、それによって、１０枚ずつ勘定もできるし、１０枚に満たない端数の硬貨の勘定もできる。
硬貨の勘定を手指で行うのは苦痛だが、多量の硬貨の勘定の始りから、最終の端数の勘定まで、本考案の硬貨勘定器の使用で、はじめて、手指による勘定をなくすことができる。
その上、挟んだ硬貨と模様が、整然と一致するので、１０枚の硬貨を挟んだとき、確実に１０枚挟んでいることが、しっかり目で確認でき、硬貨勘定器への信頼が増す。
【考案を実施するための最良の形態】
【０００６】  硬貨を挟持する辺の、長辺（１）と先端のとがった短辺（２）の間に、計測用標識物（３）を箱形状あるいは棒状あるいは板状あるいは筒状あるいはその組み合せで設ける。
なお、計測用標識物（３）の縦の部分を、２辺の間隔より大きくすることにより手の大きい人用とすることができる。
計測用標識物（３）の硬貨１０枚分の巾を横に１０区分する欄を作り、模様あるいは絵あるいは文字あるいは記号あるいは目盛またはその組み合せで描く、これによって１０枚に満たない端数の硬貨の勘定もできる。
【実施例１】
【０００７】  長短２辺（１）（２）の間に箱形の計測用標識物（３）を結合させる。
計測用標識物（３）を横に１０区分する欄を作り、その欄を黒ライン（４）白ライン（５）と交互に色分けし模様とするが、計測用標識物（３）の中央（６）は、変化のある別模様（７）とする。
使用方法は、本考案の硬貨勘定器を手のひらにおさめて握り扱う。
操作は、従来の実用新案登録第２１３５５１０号と同じで、手のひらにたてて並べた硬貨に本考案の硬貨勘定器の長辺（１）の方を指先側の硬貨に密着させ、硬貨勘定器をおしつけると、多量の硬貨のうち１０枚を挟みとることができる。勘定の最終では、従来の実用新案登録第２１３５５１０号とは異る。１０枚に満たない端数になったとき、硬貨勘定器を握っていない方の手の指で、端数の硬貨（８）を軽く支え、硬貨勘定器の模様を見る。黒ライン（４）１つ分の隙間であれば、硬貨は９枚であり、黒ライン（４）と白ライン（５）の２つの隙間であれば、硬貨は８枚であり、黒ライン（４）と白ライン（５）と黒ライン（４）の３つの隙間であれば硬貨は７枚というように、模様を施すことにより、端数の硬貨の勘定がいとも簡単に行えるのである。
【実施例２】
【０００８】  長短２辺（１）（２）の間に、箱形の計測用標識物（３）を結合させる。
この計測用標識物（３）は、無地のままとする。
持主が自ら好みの色付けや模様、目盛り等をつけられるようにするためである。
【実施例３】
【０００９】  実用新案登録第２１３５５１０号の硬貨勘定器は、コの字形の挟持部（９）に摘みがついているが、その摘みをとりのぞき、とりのぞいたところへ実施例１の、箱形の計測用標識物（３）をとりつけた形が、実施例３である。いとも簡単に実用新案登録第２１３５５１０号の硬貨勘定器を端数勘定可能の硬貨勘定器に変更できる。それが実施例３である。
【図面の簡単な説明】
【００１０】
【図１】  本考案の実施例１の斜視図
【図２】  本考案の実施例１の使用状態の正面図
【図３】  本考案の実施例２の斜視図
【図４】  本考案実施例３の斜視図
【符号の説明】
【００１１】  １  長辺
２  短辺
３  計測用標識物
４  黒ライン
５  白ライン
６  計測用標識物の中央
７  別模様
８  端数の硬貨
９  コの字形の挟持部
【図１】
0003112285.tif 000003
【図２】
0003112285.tif 000004
【図３】
0003112285.tif 000005
【図４】
0003112285.tif 000006
(57)【要約】      （修正有）【課題】中高年齢層のゴルフ愛好者であっても振り易く、しかも、正確な振りだしが出来るゴルフ用パターを提供する。【解決手段】ゴルフ用パターにおいて、グリップヘッド１上面に、直接、あるいは、軸２を介して球状のグリップ３を設け、該グリップ３の上面に、パターヘッドの打面４と直交するラインを描出したり、刻設したりして設けたことを特徴とするゴルフ用パターから構成されるものである。尚、球状のグリップ３において、該グリップの下面は、プレーヤーの掌、特に、指先部に馴染むように球状にする方がよいが、球状のグリップ３の上面は、面一にしてラインを描きやすく、また、見えやすくするものである。【選択図】図１
0003112283.tif 000002
【実用新案登録請求の範囲】
【請求項１】
ゴルフ用パターにおいて、グリップヘッド（１）上面に、直接、あるいは、軸（２）を介して球状のグリップ（３）を設け、該グリップ（３）の上面に、パターヘッドの打面（４）と直交するライン（５）を設けたことを特徴とするゴルフ用パター。
【請求項２】
球状のグリップ（３）において、該グリップの上面を、平面状にカットしたことを特徴とする請求項１記載のゴルフ用パター。
【考案の詳細な説明】
【技術分野】
【０００１】
この考案は、ゴルフ用パターに関する。
【背景技術】
【０００２】
そもそも、ゴルフ用パターは、長尺、普通尺、短尺と種々存在するが、いずれのパターも一本のシャフトの末端に設けたグリップを両手で持って、シャフトの先端に設けたパターヘッドを振り、ゴルフボールをカップに向けて転がすための用具である。
【０００３】
そして、この動作を理論的に述べると、ゴルフボールをカップに入れるためのライン上に、パターヘッドの打面を直角に置き、ライン上に真っ直ぐにパターヘッドの打面を振りだし、カップを少し行き過ぎるくらいの勢いでゴルフボールをパターヘッドで押し出すものである。
【０００４】
しかしながら、『言うは易し、行うは難し』であって、アマチュアのゴルファーでは、練習量等の不足から、なかなか上達することは困難であった。
【０００５】
さらに、中高年齢層のゴルフ愛好者は、視力にも問題が生じ、老眼鏡や遠近両用の眼鏡をかけており、プレーに種々のハンディーを余儀なくされているのが実情である。
【０００６】
そして、現在のパターでは、パターヘッドでラインを合わせるため、ゴルフボールが身長に比例して目から遠く離れてしまい、ラインがはっきりと見えず、ライン方向が見辛くなり、自信の持てる振りができないという欠点があった。
【特許文献１】特開平９−２３４２５７号公報
【考案の開示】
【考案が解決しようとする課題】
【０００７】
そこで、この考案の課題は、中高年齢層のゴルフ愛好者であっても振り易く、しかも、正確な振りだしが出来るゴルフ用パターを開発・提供するものである。
【課題を解決するための手段】
【０００８】
上記の問題点を解決するために、この考案者は、ゴルフ用パターにおいて、グリップヘッド上面に、軸を介して球状のグリップを設け、該球状のグリップの上面に、パターヘッドの打面と直交するラインを設けたことを特徴とするゴルフ用パターであり、また、球状のグリップにおいて、該グリップの上面が、平面状にカットしたゴルフ用パターを完成したものである。
【考案の効果】
【０００９】
この考案によると、パターのグリップとは、別個にさらに、球状のグリップ（３）を突出して設け、該球状のグリップ（３）の上面に、パターヘッドの打面（４）と直交するライン（５）を描出して設けたため、中高年齢層のプレーヤーにとって、大変、ライン（５）が見えやすく、しかも、グリップ（３）が球状であるため、該グリップ（３）を一方の手の掌で受け、他方の手でシャフトを加減して押し出すことにより、振り子打法の原理で打つ際の支点（Ｘ）とすることにより、カップまでのほどよい距離だけボールが転がり、その結果、スコアーメイクがし易くなる等の効果を奏する。
【００１０】
さらに、この考案は既存のゴルフパターを簡単に改良してグリップヘッド上面に設けることができる等の効果も奏する。
【考案を実施するための最良の形態】
【００１１】
この考案を実施するに当たっては、ゴルフ用パターにおいて、グリップヘッド（１）上面に、軸（２）を介して球状のグリップ（３）を設け、該グリップ（３）の上面に、パターヘッドの打面（４）と直交するライン（５）を描出したり、刻設したりして設けたことを特徴とするゴルフ用パターから構成されるものである。
【００１２】
尚、球状のグリップ（３）は、図３に示すように、グリップヘッド（１）に直接取り付けたものであってもよい。
【００１３】
尚、球状のグリップ（３）において、該グリップの下面は、プレーヤーの掌、特に、指先部に馴染むように球状にする方がよいが、球状のグリップ（３）の上面は、面一にしてライン（５）を描きやすく、また、見えやすくするよう構成してもよいものである。
【００１４】
この考案によるゴルフ用パターの製造技術を確立し、それに基づいてゴルフ用パターを製造・販売することにより、産業上の利用可能性があるものである。
【図面の簡単な説明】
【００１５】
【図１】この考案の一実施例を示す一部欠截正面図である。
【図２】この考案の一実施例を示す平面図である。
【図３】この考案の他の実施例を示す説明図である。
【図４】この考案の使用状態を示す説明図である。
【符号の説明】
【００１６】
１  グリップヘッド
２  軸
３  グリップ
４  パターヘッドの打面
５  ライン
Ｘ  支点
【図１】
0003112283.tif 000003
【図２】
0003112283.tif 000004
【図３】
0003112283.tif 000005
【図４】
0003112283.tif 000006
(57)【要約】【課題】本考案は喫煙時のタバコの煙と臭い及びヤニなど空気の汚れを、フィルターと消臭芳香剤で取り除き、煙害を防止する。【解決手段】本考案は電気スタンドの台座に灰皿置き台３を設け、灰皿２の上部に装着した笠９の中にフィルター４と消臭芳香剤５を設け、動力とファン６にてタバコ１の煙と臭い及びヤニなど汚れた空気を吸引し浄化した空気を排出する。煙害の防止と電気スタンドとしての機能を有する、タバコ１の灰皿２である。【選択図】図１
0003112288.tif 000002
【実用新案登録請求の範囲】
【請求項１】
喫煙時のタバコの煙や臭い及びヤニなどで汚れた空気を、灰皿置き台の上部のファンにより吸引しフィルター及び消臭芳香剤により浄化して、浄化された空気を排出することができ、装飾品としての電気スタンドを兼用することのできる、タバコの灰皿。
【考案の詳細な説明】
【技術分野】
【０００１】  本考案は、フィルター及び消臭芳香剤を取り付けたタバコの灰皿に関するものである。
【背景技術】
【０００２】  喫煙時のタバコの煙と臭い及びヤニは有害であり、非喫煙者からは嫌われものである。【０００３】  喫煙は灰皿の側でするが、室内には煙や臭い及びヤニが充満していた。
【考案の開示】
【考案が解決しようとする課題】
【０００４】  喫煙時のタバコの煙と臭い及びヤニを取り除き、喫煙場所近辺の空気の浄化をする機能を有するタバコの灰皿。【０００５】  装飾品として、又は電気スタンドとしての機能を有するタバコの灰皿。
【課題を解決するための手段】
【０００６】  灰皿の上部に設置した動力とファンにより空気を流動させ、タバコの煙や臭い及びヤニなどの汚れた空気をフィルターと消臭芳香剤で浄化する。
【考案の効果】
【０００７】  タバコの煙はファンにより吸引され、タバコのヤニや煙はフィルターで除去し、タバコの臭いは消臭芳香剤で浄化する。【０００８】  喫煙時以外でも、動力とファンの作動により空気を流動しているため室内の汚れた空気の浄化をすることが出来る。【０００９】  ファンを停止しても電球の点灯による発熱で空気の対流が生じ、汚れた空気をフィルター及び消臭芳香剤で浄化をすることが出来る。
【考案を実施するための最良の形態】
【００１０】  装飾品として使われている電気スタンドの台座に、灰皿置き脅を設け灰皿を置く。【００１１】  電気スタンドの笠の中に、フィルターと消臭芳香剤及び動力とファンを設置する。【００１２】  最上部に浄化された空気の排出用の笠を設け、電気スタンドの笠を被せる。【００１３】  電気スタンドの笠の下部は汚れた空気の吸引口となる。
【実施例】
【００１４】  以下、添付図面に従って本考案の実施例を説明する。装飾品として使われている電気スタンドの最下部の台座に灰皿置き台３を設け、タバコ１の灰皿２を乗せる。台座に接する柱にフィルター４と消臭芳香剤５及び動力とファン６を設置する。【００１５】  装飾用の電気スタンドを兼用するためフィルター４はドーナツ状とし、中央の穴より電球７を装着する。【００１６】  電気スタンドの最上部に汚れた空気を浄化した空気の排出用の笠８を設け、排出用の笠８に、笠９を被せる。【００１７】  笠９の下部が汚れた空気の吸引口となる。【００１８】  形状を変更した別の意匠の笠９を装着することにより、和風又は洋風の装飾品としての電気スタンドともなる。
【図面の簡単な説明】
【００１９】
【図１】本考案の断面図。
【図２】本考案の実施例を示す斜視図。
【符号の説明】
【００２０】１  タバコ
２  灰皿
３  灰皿置き台
４  フィルター
５  消臭芳香剤
６  動力とファン
７  電球
８  排出用の笠
９  笠
【図１】
0003112288.tif 000003
【図２】
0003112288.tif 000004
(57)【要約】【課題】本考案はプラスチック製手持尿器使用時に発生する不快音を解決することを課題とする。【解決手段】本考案では、この不快音を解決する手段として、受尿器の一端に消音のためネットを固定して消音効果を得た。【選択図】図１
0003112284.tif 000002
【実用新案登録請求の範囲】
【請求項１】
プラスチック製尿器使用時における不快音を解消するため、本考案は、受尿器の一端にネットを固定することによる消音効果を特徴とするネット付手持尿器。
【考案の詳細な説明】
【技術分野】
【０００１】本考案は、手持尿器の受尿器部分にネットを設けた尿器に関するものである。
【背景技術】
【０００２】  従来の尿器は硝子製であったが、現在のプラスチック製に変わったことにより、採尿時に不快音を発するようになった。
【考案の開示】
【考案が解決しようとする課題】
【０００３】  プラスチック製尿器は、硝子製に比べると軟質であり肉厚が浅く、採尿時に不快音を発する欠点がある。そこで、本考案は、この欠点を解決しようとするものである。
【課題を解決するための手段】
【０００４】  上述の不快音の発生は、容器の質と厚さに関係があり、使用プラスチック材料をより硬質なものとすると同時に容器の肉厚も厚くするをよしとするが、本考案では受尿器部分に消音のためのネットを設けることによって問題の解決手段としている。
【考案の効果】
【０００５】  使用するネットは、ネット目を１ｍｍ〜２ｍｍとすることによって尿を細分化すると共に、勢いを弱くする効果があるので消音に役立つ。
【考案を実施するための最良の形態】
【０００６】  上述のネットは採尿器と受尿器の接続部に設け、受尿器側に固定するので、採尿器のブラシ洗浄に難は無い。
【実施例】
【０００７】  尿器には男性用と女性用があり、受尿器の形に相違はあるが、ネットの固定方法は同じである。
【図面の簡単な説明】
【０００８】
【図１】本考案の受尿器部分の斜視図であり、男性用と女性用とがある。
【図２】尿器全体の分解側面図である。
【符号の説明】
【０００９】１  受尿器
２  ネット
３  採尿器
４  蓋
【図１】
0003112284.tif 000003
【図２】
0003112284.tif 000004
(57)【要約】      （修正有）【課題】外観からは、趣のある木製建具でありながら、木製建具の内部に堅牢芯材を設けることにより、外部からの窃盗、強盗目的の侵入者の侵入を防止する。【解決手段】内部に、堅牢芯材１を挟み、表裏に、下地材２と表面化粧材３を設けたことを特徴とする木製防犯建具であり、さらに、木製建具Ｘには、堅牢芯材を介して、格子状に下地材が、それぞれ堅牢芯材の両面に設けられ、堅牢芯材１が、金属材、ゴム材、ポリカーボネートプラスチック、防弾シート、防弾ガラスから選ばれた一または複合体である。【選択図】図２
0003112282.tif 000002
【実用新案登録請求の範囲】
【請求項１】
木製建具（Ｘ）において、内部に、堅牢芯材（１）を挟み、表・裏に、下地材（２）と表面化粧材（３）（３）を設けたことを特徴とする木製防犯建具。
【請求項２】
堅牢芯材（１）が、金属材、ゴム材、ポリカーボネートプラスチック、防弾シート、防弾ガラスから選ばれた一または複合体であることを特徴とする請求項１記載の木製防犯建具。
【考案の詳細な説明】
【技術分野】
【０００１】
この考案は、木製防犯建具に関し、特に、一戸建住宅、マンション等の集合住宅、あるいは会社・事務所等の営業施設の木製防犯建具に関するものである。
【背景技術】
【０００２】
従来の木製建具の構造は、仕上材（化粧材）を取り付ける下地材と、該下地材の両面に取り付けられた仕上材（化粧材）のみで構成されており、鍵は、一般的には中間部のみ施錠できる構造となっている。
【０００３】
そして、このような木製建具は、有機質である木材をその素材としており、木材の材質や色調により、見た目にも、金属製に比べて、大変、暖かくて趣のある建具である。
【０００４】
しかし、近年、これらの木製ドア等の建具は、金槌、バール、拳銃等により、簡単に破壊することができ、外部からの泥棒，強盗等がたやすく侵入することが可能であり、金品等財産はもちろん、場合によっては、生命も奪われ兼ねないという不安があった。
【０００５】
また、木製ドアに、枠材と鏡板との組み付け部に金属板を埋設したものは、存在するが、これは火災時に扉本体の裏面に亀裂を生ずるのを防止するに過ぎないものであった。例えば、特許文献１のように。
【特許文献１】実開平５−６０８０号公報
【考案の開示】
【考案が解決しようとする課題】
【０００６】
そこで、この考案は、外観からは、趣のある木製建具でありながら、該木製建具の内部に堅牢芯材を設けることにより、外部からの窃盗、強盗目的の侵入者の侵入を防止でき、住居者の生命、財産を護る堅牢な木製防犯建具の開発を開発・提供することにある。
【課題を解決するための手段】
【０００７】
この考案による木製防犯建具は、木製建具において、内部に堅牢芯材を介在させ、表裏に、下地材と表面化粧材を設けたことを特徴とする木製防犯建具である。
【考案の効果】
【０００８】
この考案によると、外観は木製ドア等の建具であり、安易に破壊出来そうであるが、内部に、金属材、ゴム材、ポリカーボネートプラスチック、防弾シート、防弾ガラスから選ばれた素材を設けているため、極めて堅牢であり、破壊され難く、身体、生命、財産を安全に護ることができる等の優れた効果を有する。
【考案を実施するための最良の形態】
【０００９】
以下、この考案の木製建具（Ｘ）の一実施例である玄関ドアを図面に基づいて説明すると、木製建具（Ｘ）の内部に、堅牢芯材（１）を介在して挟み、この堅牢芯材（１）表裏に、下地材（２）と表面化粧材（３）（３）を設けたことを特徴とする木製防犯建具から構成されるものである。
【００１０】
下地材（２）とは、横桟、縦残あるいは格子状の枠材であったり、框材等をいうものである。
【００１１】
また、堅牢芯材（１）には、木製建具（Ｘ）の使用場所によって、金属材、ゴム材、ポリカーボネートプラスチック、防弾シート、防弾ガラスから選ばれた一または複合体を使用するものである。
【００１２】
さらに、この考案の木製建具（Ｘ）には、強盗等の犯罪を防止するために、連続式の蝶番（Ｗ）を用いれば、さらに堅牢な木製建具（Ｘ）となる。
【００１３】
また、この考案の木製建具（Ｘ）の他の一実施例である室内ドアを図面に基づいて説明すると、内部に、衝撃に強く、透明なポリカーボネートプラスチックを堅牢芯材（１）として設け、表裏に、下地材（２）と表面化粧材（３）（３）を設け、窓枠（４）を開けたことを特徴とする木製防犯建具から構成されるものである。
【００１４】
このように構成すると、ガラス窓の部分は、ガラスを入れる必要がなく、透明なポリカーボネートプラスチックの堅牢芯材（１）がガラスの代役をし、しかも、堅牢である。
【図面の簡単な説明】
【００１５】
【図１】この考案の一実施例を示す正面図である。
【図２】図１中Ａ−Ａ断面図である。
【図３】この考案の他の実施例を示す正面図である。
【図４】図３中Ｂ−Ｂ断面図である。
【符号の説明】
【００１６】
１  堅牢芯材
２  下地材
３  表面化粧材
４  窓枠
Ｘ  木製建具
Ｙ  ドア枠
Ｚ  壁体
【図１】
0003112282.tif 000003
【図２】
0003112282.tif 000004
【図３】
0003112282.tif 000005
【図４】
0003112282.tif 000006
(57)【要約】【課題】メガネケースに拡大レンズを取り付け手軽な携帯用に改良し、外出先で小さな物体や微細文字資料を綺麗にはっきり見えるように改良する。【解決手段】メガネケース本体に拡大レンズと同じ大きさの穴を貫通させ、その穴と穴に各々拡大レンズを装着し、メガネケースの役目を果たしながら携帯拡大レンズとして持ち運びが改善された拡大レンズ付きメガネケース。【選択図】  図３
0003112290.tif 000002
【実用新案登録請求の範囲】
【請求項１】
貫通穴をあけ、そこにレンズを装着してなるレンズ付きメガネケース。
【考案の詳細な説明】
【技術分野】
【０００１】  本考案は、メガネケースと拡大レンズの組合せに関するが、詳しくは常に拡大レンズ携帯を可能にした拡大レンズ付きメガネケースに関するものである。
【背景技術】
【０００２】  従来、老眼鏡だけでは見づらい小さな物体や微細文字資料を読むときは拡大レンズを使用するが携帯に関して改良されず、外出先まで持ち歩く人は少ない。よって、小さな物体や微細文字資料は見えないまま過ごす事が多かった。
【考案の開示】
【考案が解決しようとする課題】
【０００３】  拡大レンズを手軽な携帯用に改良し、外出先でも小さな物体や微細文字資料を綺麗にはっきり見えるようにする事が課題である。
【課題を解決するための手段】
【０００４】  本考案は、上記の問題を解決するために開発したもので、メガネケースに拡大レンズを組み込むことで解消する。即ち、メガネケース本体と蓋の部分上下同じ所に拡大レンズと同じ大きさの貫通穴を空け、その穴と穴に各々拡大レンズを装着して、メガネケースと一体化したため持ち運びが改善される拡大レンズ付きメガネケースの提供である。
【考案の効果】
【０００５】  本考案は、拡大レンズそのものがメガネケースに組み込まれているので、メガネケースの携帯先ならどこでも拡大レンズを使うことができて、小さな物体や微細文字資料にピントが合いはっきり解読できるものであり課題の解決がある。
【考案を実施するための最良の形態】
【０００６】  本考案の実施形態は、メガネケース内を空にし蓋を閉じた状態で、組み込まれた拡大レンズを見通した先の小さな物体や微細文字資料にピントを合すことにより、従来の拡大レンズ使用時と同じ効果が得られると共に本来のメガネケースとして中に収納されたメガネを保護する機能の形態。
【実施例】
【０００７】  以下、図面に従って本考案の実施例について説明する。図１、図２は、実施例の拡大レンズ付きメガネケース開閉型を示したものであり、メガネケース本体１とメガネケース蓋２の上下同じ所に拡大レンズ外周の大きさの穴を貫通させその穴４と穴５に拡大レンズ６と拡大レンズ７を装着した構造である、本考案の特徴はメガネケースと拡大レンズ６、７を一体化したところにある。なお、３は蝶番である。【０００８】  図３によって、実施例のメガネケースの使用方法について説明する。微細文字資料Ｂと肉眼Ａとの間で拡大レンズ６、７、を覗きピントの合う場所で微細文字資料Ｂを捕らえ解読する。使用時には図２に示すように閉じた状態のメガネケースが把手部Ｃとして機能する。
【図面の簡単な説明】
【０００９】
【図１】実施例のレンズ付きメガネケースの斜視図。
【図２】図１のメガネケースを閉じた状態の斜視図。
【図３】実施例のレンズ付きメガネケースの使用状態を示す側面図。
【符号の説明】
１        メガネケース本体      ６、７、  拡大レンズ
２        メガネケース蓋        Ａ        肉眼
３        蝶番                  Ｂ        微細文字資料
４、５、  穴                    Ｃ        把手部
【図１】
0003112290.tif 000003
【図２】
0003112290.tif 000004
【図３】
0003112290.tif 000005
(57)【要約】【課題】  本考案は、郵便と宅配便のいずれかによって返信できる返信用封筒を提供するものである。【解決手段】  本考案は、返信用封筒の表側に返信先の郵便番号と住所、会社名の記載欄が設けられ、また宅急便の伝票貼付欄も設けられ、更に返信用封筒の裏側には印鑑修正方法が記載されており、本考案の返信用封筒に契約書等の書類を入れ、郵便又は宅配便のいずれかを利用して返信先に送ることができる。【選択図】図１
0003112236.tif 000002
【実用新案登録請求の範囲】
【請求項１】
少なくとも返信先住所が記載された郵便返信用の第１の表示部と、
宅急便伝票の貼付部を有する宅急便返信用の第２の表示部と、
を備えることを特徴とする返信用封筒。
【請求項２】
前記第１の表示部と第２の表示部は、前記封筒の表面に設けられ、保険契約書が封入されることを特徴とする請求項１に記載の返信用封筒。
【請求項３】
前記封筒の裏面には、封入される書類の誤捺印例、及び捺印修正例が記載されていることを特徴とする請求項１、又は請求項２に記載の返信用封筒。
【考案の詳細な説明】
【技術分野】
【０００１】
本考案は、生命保険契約書等の書類の返信用封筒に関する。
【背景技術】
【０００２】
今日、パンフレット等の商品説明書と共に、契約書類が同封された書類が送られてくる場合がある。このような場合、商品説明書の内容を確認し、契約を決意し、契約書類を返信する際、返信用封筒を使用する。
【０００３】
この場合、顧客の便宜を考慮して返信用封筒が同封されている場合が多い。例えば、保険契約書であれば、保険会社の住所及び会社名が予め記載された返信用封筒が同封されている。したがって、必要事項を記載した契約書を返信用封筒に同封して、例えば郵便ポストに投函する。
【０００４】
尚、上記返信用封筒に関連する発明として、特許文献１には郵便での差出人と受取人との間で容易に連絡、問い合わせが行える封筒が開示されている。
【特許文献１】特開平８−２７６９４１号公報
【考案の開示】
【考案が解決しようとする課題】
【０００５】
しかしながら、従来の返信用封筒は郵便用である。差出人は必ずしも郵便物を投函できる、ポスト等のある場所に住んでいるとは限らない。例えば、ポストの設置場所に遠く、寧ろ宅配便を利用する方が便利な場所に住んでいる場合もある。
【０００６】
そこで、本例は郵便でも宅配便でも使用できる返信用封筒を提供し、差出人の便宜を図るものである
【課題を解決するための手段】
【０００７】
上記課題は本考案によれば、少なくとも返信先住所が記載された郵便返信用の第１の表示部と、宅急便伝票の貼付部を有する宅急便返信用の第２の表示部とを備える返信用封筒を提供することによって達成できる。
【０００８】
このように構成することによって、返信用封筒を郵便でも、宅急便でも使用でき、差出人は例えばポスト、又は宅配便を取り扱うコンビニエンスストア等の便利がよい場所に出向き、書類を差し出すことができる。
【０００９】
また、ファクシミリや電話によって回収を依頼し、予め決めた差出人指定の場所に回収に行く方法もあり、この方法によれば更に利用者にとって便利なものとなる。この場合、差出人指定の場所に回収に行く時間は、指定された時間でもよく、又一定の時間内であってもよい。
【００１０】
また、前記第１の表示部と第２の表示部は、前記封筒の表面に設けられ、例えば保険契約書が封入される構成である。
このように構成することにより、保険契約書が封入された返信用封筒を差出人に便利な方法で保険会社に送ることができる。
【００１１】
さらに、前記封筒の裏面には、例えば封入される書類の誤捺印例、及び捺印修正例が記載されている構成である。
このように構成することにより、正しい捺印状態を封筒の裏面を確認することによって容易に知ることができ、誤捺印や誤った捺印修正を防止できる。
【考案の効果】
【００１２】
本考案は上記構成により、差出人の便宜を図ることができ、更に同封物の作成の際の捺印の誤りを阻止することができる。
また、通常サイズの速達返信用封筒を用いた場合、紛失する場合が多く、本例の返信用封筒を、例えば差出人に届け、使用してもらう構成としてもよい。このように構成することにより、紛失を減らすことができる。
【考案を実施するための最良の形態】
【００１３】
以下、本考案の実施形態を図面に基づいて詳細に説明する。
図１及び図２は、本考案の返信用封筒の例であり、図１は返信用封筒の表面を示し、図２は返信用封筒の裏面を示す。先ず、図１において、返信用封筒の表面には、受取人の郵便番号と住所、会社名が記載された欄１と、宅急便の伝票貼付部である欄２が形成されている。
【００１４】
受取人の郵便番号や住所等が記載された欄１には、例えばＩＴＳＵＭＯ契約受付センタのマークも設けられ、例えば本例において生命保険会社の会社名が記載されている。また、当該マークの左上には料金受取人払の記載がある。
【００１５】
一方、宅急便の伝票貼付用のエリアを有する欄２には、例えば「○○急便様お疲れ様です。○○急便伝票貼付欄、こちらに伝票お貼りください。」との記載があり、宅急便を利用する場合には、貼付欄に伝票を貼る。
【００１６】
図２は、前述のように返信用封筒の裏面を示し、印鑑修正欄３と差出人の住所、名前、電話番号の記入欄４が設けられている。また、印鑑修正欄３には誤捺印の例が示され、例えば印鑑が不鮮明である場合、重ね印の場合、所謂シャチハタ印の場合の誤捺印の例が記載され、修正方法も記載されている。したがって、正しい捺印状態が容易に分かり、誤捺印等を有効に防止することができる。
【００１７】
さらに、印鑑修正欄３の下部には「口座振替依頼書の印鑑は、口座お届け印を必ずご捺印ください。また、振替口座は、給与振込口座などのご利用頻度の高い口座をご指定ください。」と記載されており、契約書作成の際の有効な情報となる。
【図面の簡単な説明】
【００１８】
【図１】返信用封筒の表側を示す図である。
【図２】返信用封筒の裏側を示す図である。
【符号の説明】
【００１９】
１，２      欄
３      印鑑修正欄
４      受取人の住所等の記入欄
【図１】
0003112236.tif 000003
【図２】
0003112236.tif 000004
(57)【要約】      （修正有）【課題】導電性布などの導電性軟質材を使った入れ物によって、従来の布・紙・皮革・軟質樹脂等の携帯用品と違和感、不便さがなくスキミングによる被害を防止する。【解決手段】導電性布は表面に金属を蒸着させ、この面とＩＣタグが直に接触しないように裏地を付け、表にも保護のため表地をつける。表面に金属が露出しない材料では保護のための裏表地を省くことができる。袋状の成形には縫合又は接着し生地全面をできるだけ均一な導電体とする。【選択図】図１
0003112084.tif 000002
【実用新案登録請求の範囲】
【請求項１】
ＩＣカードのための入れ物で、導電性布などの導電性軟質材を材料の一部又は全部として使い、カードの利便性を維持したまま電磁波漏洩を防止することを特徴とするカード入れ物
【請求項２】
ＩＣカードを携行するときのカードケース、財布、ハンドバッグ、ポシェットなどに、導電性布などの導電性軟質材を裏地又は表地又は両者の間に挟みこんで使うことにより、従来の使用感を損なわずにカードの利便性を維持したまま電磁波漏洩を防止することを特徴とするＩＣカード携帯用品
【考案の詳細な説明】
【技術分野】
【０００１】  本考案は、ＩＣカードから出る微弱な電磁波から違法にデータを読み取り悪用するスキミング犯罪を防止するために、カードの利便性を損なわないで、電磁波漏洩を防止する入れ物に関するものである。
【背景技術】
【０００２】  ＩＣカードは電磁波を放出するためスキミング犯罪の被害を被る。カードを金属のような高性能の電磁波シールド性能よ有する容器に入れておかなければ防止できない。
【考案の開示】
【考案が解決しようとする課題】
【０００３】  カードを金属容器に入れた場合、カードの利便性である薄く軽く携行郵送に便利であるという特長が損なわれるため、殆んど使われていない。そのため巧妙化するスキミング被害が増加している。本考案では、導電性布などの導電性軟質材を使った入れ物によって、従来の布・紙・皮革・軟質樹脂等の携帯用品と違和感、不便さがなくスキミングによる被害を解決する。
【課題を解決する手段】
【０００４】  本考案は、導電性布などの導電性軟質材の金属同様に電磁波を遮断する機能を持つ布状の材料によって、ＩＣカードを収納する入れ物を作ることで、通常の使用状態のまま、即ち携行のため入れ物に入れることによって、ＩＣタグの電磁波が遮断される。
【考案の効果】
【０００５】  ＩＣカードを行使するため入れ物から出している間以外は常に電磁波が遮断されているので、スキミング被害を防止する。カードは薄い紙封筒で郵送されており、手元に到着するまでの間スキミングが行われる危険がある。ＩＣカードを本考案による袋に入れた後封筒に入れると、受け取ったときの状態で、スキミングの有無を知ることができる。
【考案を実施するための最良の形態】
【０００６】  導電性布は表面に金属を蒸着させているので、この面とＩＣタグが直に接触しないように裏地を付け、表にも保護のため表地をつける。表面に金属が露出しない材料では保護のための裏表地を省くことができる。袋状の成形には縫合又は接着し生地全面をできるだけ均一な導電体とする。カードケース・財布のように薄くＩＣカードが袋内面にはさまれている形状では、ＩＣタグが露出しない部分は取り出し易いようにカードの一部が露出しても良い。ＩＣカードが中で移動するような入れ物では、ＩＣカードが入る部分の全体又は大部分を導電性材料で覆う構造にする。
【実施例】
【０００７】  複数の導電性布でＩＣカードケースを作り使用した。大きさは横１０ｃｍ縦６ｃｍでＩＣカード１枚収納厚さはＩＣカード込み０．３ｃｍから０．４ｃｍ、重量３０ｇから４０ｇ。電磁波遮断性能は、携帯電話が通話エリアで圏外表示となった。電話のテストは電話が入る大きさに縫製したものを使用した。
【産業上の利用可能性】
【０００８】  切断、縫製、性能とも工業化は可能で、ＩＣカード袋は量産するための工程を開発している。材料調達経路は確保しておりコストを現在検討中である。数ヶ月の内に市場に出す計画である。カードケース・財布、ハンドバッグ等は意匠が伴うので、専門会社と共同開発の予定だが、相手先は未定である。市場の可能性は今後ＩＣカード化が進むに連れて需要は増大するものと予想される。
【図面の簡単な説明】
【０００９】
【図１】    カードケースを示した平面図である。
【図２】    カードケースを示した断面図である。
【図３】    ハンドバッグを示した平面図である。
【図４】    ハンドバッグを示した断面図である。
【符号の説明】
【００１０】    １  表地
２  導電性布
３  裏地
４  ＩＣカード収納場所
５  ハンドバッグ取手
【図１】
0003112084.tif 000003
【図２】
0003112084.tif 000004
【図３】
0003112084.tif 000005
【図４】
0003112084.tif 000006
【手続補正書】
【提出日】平成17年3月23日(2005.3.23)
【手続補正１】
【補正対象書類名】実用新案登録請求の範囲
【補正対象項目名】請求項２
【補正方法】変更
【補正の内容】
【請求項２】
ＩＣカードを携行するときのカードケース、財布、ハンドバッグ、ポシェットなどに、導電性布などの導電性軟質材を裏地又は表地又は両者の間に挟みこんで使うことにより、使用感を損なわずにカードの利便性を維持したまま電磁波漏洩を防止することを特徴とする携帯用品